(57)【要約】【課題】釣人の肘周りを載せたり下半身に宛がったりするクッション材を竿桿の基端側に備えるとともに、リールの種類や使用する釣人が変わってもクッション材を最適な位置にできる操作性の良い釣竿を提供する。【解決手段】釣竿１は、竿桿３と、釣糸の送出・巻取を行うリール２を竿桿３に固定するリールシート４と、竿桿３の基端に着脱可能に嵌合する嵌合凹部５１を有するクッション材５とを備える。リールシート４は、竿桿３に移動可能に取り付けられる。【選択図】図１
2014018088.tif 000002
【特許請求の範囲】
【請求項１】
竿桿と、
該竿桿に移動可能に取り付けられ、釣糸の送出・巻取を行うリールを上記竿桿に固定する固定手段と、
上記竿桿の基端に着脱可能に嵌合する嵌合凹部を有するクッション材とを備えたことを特徴とする釣竿。
【請求項２】
請求項１に記載の釣竿において、
上記竿桿の外周面には、雄ネジ部が螺刻され、
上記固定手段は、上記雄ネジ部に螺合する雌ネジ部が内周面に螺刻され、回転動作により竿桿軸方向に螺進・螺退する一対の円筒部材と、
上記竿桿の両円筒部材間に外挿され、当該円筒部材の螺進退動作に追随して竿桿軸方向に移動する一対のリング部材とを備え、
該両リング部材の互いに対向する側の周壁の一部には、上記リールの竿桿軸方向両側に延出する一対の延出部を上記竿桿の外周面との間で保持する一対のリール保持部が設けられていることを特徴とする釣竿。
【請求項３】
請求項１又は２に記載の釣竿において、
上記嵌合凹部は、真円以外の形状をなし、
上記竿桿の基端側の横断面形状は、上記嵌合凹部の横断面形状に対応していることを特徴とする釣竿。
【請求項４】
請求項１から３のいずれか１つに記載の釣竿において、
上記竿桿の基端寄りには、上記クッション材の嵌合凹部を上記竿桿の基端に嵌合した際、上記嵌合凹部の開口周縁に当接して上記クッション材の竿桿先端側への移動を規制する規制部材が取り付けられていることを特徴とする釣竿。
【請求項５】
請求項１から４のいずれか１つに記載の釣竿において、
上記クッション材における嵌合凹部の反開口側には、釣人の鼠径部に対応する凹状湾曲面が形成されていることを特徴とする釣竿。
【発明の詳細な説明】
【技術分野】
【０００１】
本発明は、竿桿の基端側にクッション材が取り付けられた釣竿に関する。
【背景技術】
【０００２】
従来より、例えば、特許文献１に開示されている釣竿は、竿桿と、釣糸の送出・巻取を行うリールを上記竿桿に固定するリールシートと、上記竿桿の基端側に嵌合する嵌合孔を有するクッション材とを備え、該クッション材には、釣人の肘周辺の形状に対応する凹状面が形成されている。そして、釣人は、釣りをする際、竿桿のリールシート近傍を把持しつつ肘周辺をクッション材の凹状面に載せるようになっていて、竿桿の基端側が釣人の肘周辺に接触する際の衝撃が吸収されるとともに、釣人の肘周辺がクッション材の凹状面に沿うことで肘周辺がクッション材に対してずれ難くなり、竿桿が揺れ難くなって操作性が向上するようになっている。
【０００３】
ところで、特許文献１の竿桿の基端は上記クッション材から突出しているので、釣人が竿桿の基端を下半身に宛がって釣竿を両手で操作しようとすると、竿桿の基端から下半身に局所的に負荷がかかってしまう。
【０００４】
これに対応するために、例えば、特許文献２に開示されている釣竿では、クッション材を竿桿の基端から突出しないように当該竿桿に固定していて、釣人が釣竿の基端側を下半身に宛がった際にクッション材により下半身に局所的にかかる負荷を緩和させるようになっている。
【先行技術文献】
【特許文献】
【０００５】
【特許文献１】特開２００９−６０８４３号公報（段落００１１〜００１５欄、図１）
【特許文献２】特開平１１−１５５４２７号公報（段落００１３〜００１５欄、図２）
【発明の概要】
【発明が解決しようとする課題】
【０００６】
ところで、特許文献１，２の釣竿では、竿桿にリールを固定する位置が予め決められているため、リールの種類が変わることでクッション材の位置が釣人にとって最適な位置でなくなってしまうおそれがある。
【０００７】
また、腕の長さは釣人毎に異なるので、異なる釣人が上述の釣竿を使用する際には、同様の問題が生じる。
【０００８】
これらの問題を回避するために、クッション材を竿桿の軸方向に長くすることにより、釣人の肘周辺を確実にクッション材に接触させる構造にすることが考えられる。
【０００９】
しかし、クッション材を竿桿の軸方向に長くすると竿桿の基端側の重量が重くなってしまい、釣竿の重量バランスが悪くなって返って釣竿の操作性が悪化してしまう。
【００１０】
また、クッション材を竿桿の軸方向に移動可能にして釣人の肘周りに対応させることも考えられるが、クッション材を竿桿の先端側に移動させると特許文献１のように竿桿の基端がクッション材から突出してしまい、釣竿の基端側を下半身に宛がう際に特許文献１と同様の問題が生じてしまう。
【００１１】
本発明は、斯かる点に鑑みてなされたものであり、その目的とするところは、釣人の肘周りを載せたり下半身に宛がったりするクッション材を竿桿の基端側に備えるとともに、リールの種類や使用する釣人が変わっても、釣人の肘周辺をクッション材に確実に載せることができ、しかも操作性の良い釣竿を提供することにある。
【課題を解決するための手段】
【００１２】
上記の目的を達成するために、本発明は、リールの竿桿への固定位置を調整可能にしたことを特徴とする。
【００１３】
すなわち、第１の発明では、竿桿と、該竿桿に移動可能に取り付けられ、釣糸の送出・巻取を行うリールを上記竿桿に固定する固定手段と、上記竿桿の基端に着脱可能に嵌合する嵌合凹部を有するクッション材とを備えたことを特徴とする。
【００１４】
第２の発明では、第１の発明において、上記竿桿の外周面には、雄ネジ部が螺刻され、上記固定手段は、上記雄ネジ部に螺合する雌ネジ部が内周面に螺刻され、回転動作により竿桿軸方向に螺進・螺退する一対の円筒部材と、上記竿桿の両円筒部材間に外挿され、当該円筒部材の螺進退動作に追随して竿桿軸方向に移動する一対のリング部材とを備え、該両リング部材の互いに対向する側の周壁の一部には、上記リールの竿桿軸方向両側に延出する一対の延出部を上記竿桿の外周面との間で保持する一対のリール保持部が設けられていることを特徴とする。
【００１５】
第３の発明では、第１又は第２の発明において、上記嵌合凹部は、真円以外の形状をなし、上記竿桿の基端側の横断面形状は、上記嵌合凹部の横断面形状に対応していることを特徴とする。
【００１６】
第４の発明では、第１から第３のいずれか１つの発明のおいて、上記竿桿の基端寄りには、上記クッション材の嵌合凹部を上記竿桿の基端に嵌合した際、上記嵌合凹部の開口周縁に当接して上記クッション材の竿桿先端側への移動を規制する規制部材が取り付けられていることを特徴とする。
【００１７】
第５の発明では、第１から第４のいずれか１つの発明において、上記クッション材における嵌合凹部の反開口側には、釣人の鼠径部に対応する凹状湾曲面が形成されていることを特徴とする。
【発明の効果】
【００１８】
第１の発明では、クッション材に対するリールの固定位置を変えることでリール固定位置とクッション材との間の距離を変化させることができ、リールの種類や使用する釣人が変わっても、釣人の肘周りをクッション材に確実に載せることができる。また、リール固定位置とクッション材との間の距離を変化させるのに、竿桿に対してクッション材をスライドさせる構造ではないので、竿桿の基端側がクッション材から突出することがなく、竿桿の基端を釣人の下半身に宛がって使用しても竿桿の基端から下半身に加わる圧力を確実に分散させて釣人に局所的にかかる負荷を緩和させることができる。さらに、クッション材を竿桿の軸方向に長くする必要がないので、クッション材によって必要以上に竿桿の基端側が重くなることを防ぎ、釣竿の操作性を良くすることができる。
【００１９】
第２の発明では、両円筒部材の螺進退動作により、リールを竿桿に固定する両リング部材の位置を細かく調整できるので、竿桿の軸方向の固定位置を細かく設定できる。また、上記両円筒部材と上記竿桿とは螺合により組み立てられているので、不意に両リング部材に竿桿の軸方向の力が加わっても両リング部材は互いに離間し難く、両リング部材が離間してリールが外れてしまうといったことを防ぐことができる。
【００２０】
第３の発明では、クッション材が竿桿に対して竿桿の軸心周りに回転しなくなるので、釣人が釣りをする際に、肘周りを載せたクッション材が竿桿に対して不意に回転して竿桿が揺れてしまうということがなく、釣竿の操作性を高めることができる。
【００２１】
第４の発明では、釣竿を両手で操作する際に竿桿の基端側を釣人の下半身に宛がっても、規制部材によりクッション材が竿桿の先端側に移動せず、竿桿の基端側がクッション材を突き破ってしまうことを防ぐことができる。
【００２２】
第５の発明では、釣竿を両手で操作する際にクッション材を釣人の下半身の中の鼠径部に宛がうと、クッション材の凹状湾曲面が鼠径部に沿うので当該鼠径部に対してクッション材がずれ難くなる。したがって、釣竿の操作性をさらに高めることができる。
【図面の簡単な説明】
【００２３】
【図１】本発明の実施形態１に係る釣竿の把持部周辺を示す正面図である。
【図２】（ａ）は、本発明の実施形態１に係る釣竿の基端側における分解平面図であり、（ｂ）は、（ａ）のＡ−Ａ線における断面図である。
【図３】図２のＢ−Ｂ線における断面図である。
【図４】図２のＣ−Ｃ線における断面図である。
【図５】図１のＤ−Ｄ線における断面図である。
【図６】図５のＥ−Ｅ線における把持部周りの断面図である。
【図７】図１のＦ−Ｆ線における断面図である。
【図８】本発明の実施形態１に係る釣竿の使用形態を変更した状態の図１相当図である。
【図９】本発明の実施形態２の図５相当図である。
【図１０】本発明の実施形態２の図６相当図である。
【発明を実施するための形態】
【００２４】
以下、本発明の実施形態を図面に基づいて詳細に説明する。尚、以下の好ましい実施形態の説明は、本質的に例示に過ぎない。
《発明の実施形態１》
図１は、本発明の実施形態１に係る釣竿１を示す。該釣竿１は、釣糸の送出・巻取を行う各種リール２を固定して使用するものであり、炭素繊維強化プラスチックで形成された竿桿３と、該竿桿３に上記リール２を固定するリールシート４（固定手段）と、上記竿桿３の基端に着脱可能に嵌合する嵌合凹部５１を有するクッション材５とを備えている。
【００２５】
尚、図１に示すリール２は、所謂スピニングリールと呼ばれるものであり、釣糸が巻かれるリール本体２１と、該リール本体２１に回動可能に軸支されたハンドル２２と、上記リール本体２１の上部から緩やかに湾曲しながら上方に向かって延びる軸部２３と、該軸部２３の上端から竿桿軸方向両側に延出する一対の延出部２４とを備えている。
【００２６】
上記竿桿３は、細長い筒状の竿桿本体３ａと、該竿桿本体３ａの軸方向中央部分の基端側に外嵌合された短筒部材３ｂとを備えている。
【００２７】
該短筒部材３ｂの外周面には、雄ネジ部３１が所定の長さで螺刻され、該雄ネジ部３１上部には、図５乃至図７にも示すように、凹部３１ａが各ネジ山に形成されている。
【００２８】
上記リールシート４は、上記雄ネジ部３１に螺合する雌ネジ部４１ａが内周面に螺刻された一対の樹脂製円筒部材４１を備え、該両円筒部材４１は、回転動作により竿桿軸方向に螺進・螺退するようになっている。
【００２９】
上記両円筒部材４１は、竿桿軸方向に所定の間隔を開けて配置され、竿桿３の基端側に位置する円筒部材４１は、竿桿３の先端側に位置する円筒部材４１より竿桿軸方向に長く延び、釣竿１の使用時において釣人Ｈが把持するグリップを構成するようになっている。
【００３０】
また、上記両円筒部材４１の互いに対向する側の外周面には、それぞれ開口端縁に沿って延びる環状凹部４１ｂが形成されている。
【００３１】
上記竿桿３の両円筒部材４１間には、一対の樹脂製リング部材４２が外挿され、該各リング部材４２は、上記各円筒部材４１のそれぞれに対応している。
【００３２】
上記リング部材４２の上部内周面には、竿桿軸方向に延びる凸部４２ａが突設され、該凸部４２ａは、上記各凹部３１ａに竿桿軸方向にスライド可能に嵌合している。
【００３３】
また、上記リング部材４２における円筒部材４１側内周面には、上記環状凹部４１ｂに嵌合する環状突条部４２ｂが突設され、上記円筒部材４１を回転させると上記環状凹部４１ｂが上記環状突条部４２ｂに沿って摺動するようになっている。
【００３４】
そして、上記リング部材４２は、上記円筒部材４１を回転させて竿桿軸方向に螺進・螺退させると、上記凸部４２ａが上記各凹部３１ａに沿って案内されて竿桿３に対して回転せずに竿桿軸方向にスライド移動するようになっている。
【００３５】
すなわち、上記リング部材４２は、上記円筒部材４１の螺進退動作に追随して竿桿軸方向に移動するようになっている。
【００３６】
さらに、上記両リング部材４２下部の互いに対向する側には、上記竿桿３の外周面との間に所定の隙間が形成されるように外側方に膨出するリール保持部４２ｃが形成され、該リール保持部４２ｃは、上記リング部材４２の開口端縁に近づくにつれて竿桿３の外周面から次第に離れるように傾斜している。
【００３７】
そして、上記リール２は、上記両延出部２４を上記竿桿３外周面の両リング部材４２間に下方から宛がった状態で、上記両円筒部材４１の回転操作による螺進動作で上記両リング部材４２を互いに接近移動させて上記両延出部２４の先端側を上記両リール保持部４２ｃの内面と上記竿桿３の外周面とで保持して上記竿桿３に固定するようになっている。
【００３８】
また、上記竿桿３にリール２を固定した状態で、上記竿桿３の両リング部材４２間に略Ｃ字状の樹脂製カバー４３を上方から外嵌合させるようになっていて、釣人Ｈが釣竿１を把持した際に、竿桿３の雄ネジ部３１が掌に接触しなくなり、釣竿１の触り心地が改善されるようになっている。
【００３９】
上記クッション材５は、図１乃至図４に示すように、略直方体形状をなしていて、ＥＶＡ（エチレン酢酸ビニルコ共重合樹脂材）で形成され、その硬度は５０〜９０度となっている。
【００４０】
上記嵌合凹部５１は、上記クッション材５の１つの側面の略中央に開口していて、その断面形状は正方形状をなしている。
【００４１】
また、上記クッション材５の上面は、上記竿桿３の軸方向から見て中央部分が下方に窪むように緩やかに湾曲する第１凹状湾曲面５ａが形成され、該第１凹状湾曲面５ａは、釣人Ｈの肘周りに対応する形状をなし、上記竿桿３の竿先側に行くにつれて緩やかに下傾している（図３参照）。
【００４２】
さらに、上記クッション材５における嵌合凹部５１の反開口側には、平面視で中央部分が上記竿桿３の先端側に窪むように緩やかに湾曲する第２凹状湾曲面５ｂが形成され、該第２凹状湾曲面５ｂは、釣人Ｈの鼠径部Ｈ１（図２（ａ）参照）に対応する形状をなしている。
【００４３】
上記竿桿３の基端寄りには、上記竿桿３の外周面から当該竿桿３の径方向外側に張り出す張出部材６が設けられ、該張出部材６は、その外周面が上記竿桿３の先端側に行くにつれて次第に縮径するテーパ状をなしている。
【００４４】
また、上記竿桿３の上記張出部材６より基端側は、図２（ｂ）に示すように、円筒部分の外周面に断面略三角形状の細棒部材９を周方向に等間隔に４つ貼り付けることにより横断面形状が正方形状となっていて、上記嵌合凹部５１の横断面形状に対応している。
【００４５】
尚、上記竿桿３基端側の断面形状は、該竿桿３を各リング部材４２のリール保持部４２ｃが下側に向くような姿勢にした状態で上下左右に対称な形状になっている。
【００４６】
さらに、上記張出部材６の基端側には、上記竿桿３が挿通する挿通孔７ａを略中央に有する樹脂製板部材７が設けられ、該板部材７は、上記張出部材６とで規制部材８を構成している。
【００４７】
そして、上記竿桿３の基端側を上記板部材７の挿通孔７ａに挿通させ、且つ、上記竿桿３の基端側に上記クッション材５の嵌合凹部５１を嵌合させて竿桿３に板部材７及びクッション材５を組み付けるようになっていて、上記クッション材５の嵌合凹部５１を上記竿桿３の基端に嵌合した際、上記嵌合凹部５１の開口周縁に上記規制部材８が当接して上記クッション材の竿桿３の先端側への移動を規制するようになっている。
【００４８】
次に、釣竿１の組み立てについて説明する。尚、竿桿３に固定するリール２の種類は、スピニングリールである（図１参照）。
【００４９】
まず、釣人Ｈは、リール２及びクッション材５が取り付けられていない竿桿３を用意する。そして、各円筒部材４１を回転操作し、各リング部材４２を互いに離間するように移動させる。
【００５０】
次いで、上記竿桿３を各リング部材４２のリール保持部４２ｃが下向きになるような姿勢にし、竿桿３の基端を板部材７の挿通孔７ａに挿通させるとともに、竿桿３の基端に第１凹状湾曲面５ａを上向きにしたクッション材５の嵌合凹部５１を嵌合させる。すると、規制部材８が嵌合凹部５１の開口周縁に当接してクッション材５の竿桿３の先端側への移動を規制する。したがって、釣竿１を両手で操作する際に竿桿３の基端側を釣人Ｈの下半身に宛がっても、規制部材８によりクッション材５が竿桿３の先端側に移動せず、竿桿３の基端側がクッション材５を突き破ってしまうことを防ぐことができる。
【００５１】
また、釣竿１を両手で操作する際にクッション材５を釣人Ｈの下半身の中の鼠径部Ｈ１に宛がうと、クッション材５の第２凹状湾曲面５ｂが鼠径部Ｈ１に沿うので、当該鼠径部Ｈ１に対してクッション材５がずれ難くなる。したがって、釣竿１の操作性をさらに高めることができる。
【００５２】
しかる後、釣人Ｈの肘周辺をクッション材５の第１凹状湾曲面５ａに載置した際に、その釣人Ｈが最もリール２を扱い易くなる竿桿３の位置に下方からリール２の両延出部２４を宛がう。
【００５３】
そして、上記両円筒部材４１を回転させることにより各リング部材４２を互いに接近移動させ、上記両延出部２４の先端側を上記両リール保持部４２ｃの内面と上記竿桿３の外周面とで保持して、リール２を竿桿３に固定する。
【００５４】
最後に、竿桿３の両リング部材４２間に樹脂製カバー４３を嵌め込み、釣竿１の組み立てが終了する。
【００５５】
次に、リール２の種類が所謂ベイトリールと呼ばれるものである場合の釣竿１の組み立てについて説明する。尚、ベイトリールは、図８に示すように、スピニングリールのように軸部２３がなく、リール本体２１の外周縁に直接一対の延出部２４が設けられている。
【００５６】
まず、釣人Ｈは、上述したスピニングリールの時と同様に、用意した竿桿３の各円筒部材４１を回転操作し、各リング部材４２を離間させる。
【００５７】
次いで、上記竿桿３を各リング部材４２のリール保持部４２ｃが上向きになる姿勢にし、竿桿３の基端を板部材７の挿通孔７ａに挿通させるとともに、竿桿３の基端に第１凹状湾曲面５ａを上向きにしたクッション材５の嵌合凹部５１を嵌合させる。すると、規制部材８が嵌合凹部５１の開口周縁に当接してクッション材５の竿桿３の先端側への移動を規制する。
【００５８】
尚、竿桿３はリール保持部４２ｃが下向きの姿勢において、基端側横断面が正方形状で、且つ、上下左右に対称な形状であるので、竿桿３をリール保持部４２ｃが下向きの姿勢から上向きの姿勢にしても、クッション材５の嵌合凹部５１を第１凹状湾曲面５ａが上向きの姿勢で竿桿３の基端側に嵌合させることができる。
【００５９】
しかる後、釣人Ｈの肘周辺をクッション材５の第１凹状湾曲面５ａに載置した際に、その釣人Ｈが最もリール２を扱い易くなる竿桿３の位置に上方からリール２の両延出部２４を宛がう。
【００６０】
尚、図８に示すように、ベイトリールは、スピニングリールより竿桿軸方向の先端側で固定する。
【００６１】
そして、上記両円筒部材４１を回転させることにより各リング部材４２を互いに接近移動させ、上記両延出部２４の先端側を上記両リール保持部４２ｃの内面と上記竿桿３の外周面とで保持して、リール２を竿桿３に固定する。
【００６２】
以上より、本発明の実施形態１によると、クッション材５に対するリール２の固定位置を変えることでリール２の固定位置とクッション材５との間の距離を変化させることができ、リール２の種類や使用する人が変わっても、釣人Ｈの肘周りをクッション材５に確実に載せることができる。
【００６３】
また、リール２の固定位置とクッション材５との間の距離を変化させるのに、竿桿３に対してクッション材５をスライドさせる構造ではないので、竿桿３の基端側がクッション材５から突出することがなく、竿桿３の基端を釣人Ｈの下半身に宛がって竿桿３の基端から下半身に加わる圧力を確実に分散させて釣人Ｈに局所的にかかる負荷を緩和させることができる。
【００６４】
また、クッション材５を竿桿３の軸方向に長くする必要がないので、クッション材５によって必要以上に竿桿３の基端側が重くなることを防ぎ、釣竿１の操作性を良くすることができる。
【００６５】
また、両円筒部材４１の螺進退動作により、リール２を竿桿３に固定する両リング部材４２の位置を細かく調整できるので、竿桿３の軸方向の固定位置を細かく設定できる。
【００６６】
また、両円筒部材４１と竿桿３とは螺合により組み立てられているので、不意に両リング部材４２に竿桿軸方向の力が加わっても両リング部材４２は互いに離間し難く、両リング部材４２が離間してリール２が外れてしまうといったことを防ぐことができる。
【００６７】
また、竿桿３の基端側横断面の形状が正方形状をなしているので、クッション材５が竿桿３に対して竿桿軸周りに回転しなくなるので、釣人Ｈが釣りをする際に、肘周りを載せたクッション材５が竿桿３に対して不意に回転して竿桿３が揺れてしまうということがなく、釣竿１の操作性を高めることができる。
《発明の実施形態２》
図９及び図１０は、本発明の実施形態２に係る釣竿１を示す。この実施形態２では、竿桿３の一部構造が異なり、且つ、樹脂製カバー４３が取り付けられていないだけで、その他は実施形態１と同じであるため、以下、実施形態１と異なる部分のみを説明する。
【００６８】
実施形態２の短筒部材３ｂにおける雄ネジ部３１のネジ山は、各リール保持部４２ｃが下向きの姿勢で上側略１／３の部分に形成されていない。そして、上記リング部材４２の上部内周面が上記短筒部材３ｂの上部外周面に対応するように接近しており、上記リング部材４２の板厚は、竿桿３の軸方向から見て左右両側より上側の方が厚くなっていて、竿桿３に対して竿桿３の軸心周りにリング部材４２が回転しないようになっている。
【００６９】
以上より、本発明の実施形態２によると、釣人Ｈが竿桿３を把持した際に、掌に接触する雄ネジ部３１の面積を実施形態１より狭くすることができ、釣竿１の触り心地をさらに良くすることができる。
【００７０】
尚、本発明の実施形態１、２では、規制部材８を張出部材６と板部材７とで構成しているが、張出部材６のみで構成してもよい。
【００７１】
また、竿桿３の基端側の断面形状を正方形状にし、クッション材５の嵌合凹部５１の形状を対応させているが、これに限らず、竿桿３の基端側の断面形状を三角形状や、その他の多角形状にしてもよいし、楕円形状にしてもよく、真円以外の形状であればよい。
【００７２】
また、本発明の実施形態１、２では、竿桿３を炭素繊維強化プラスチックで形成しているが、これに限らず、例えば、ガラス繊維強化プラスチックや竹等で形成してもよい。
【００７３】
また、本発明の実施形態１、２では、クッション材５をＥＶＡで形成しているが、これに限らず、例えば、ポリスチレン等の発泡材であってもよいし、その他、釣人Ｈに対してクッションになるのであれば材質は問わない。
【００７４】
また、本発明の実施形態１、２では、クッション材５を１つの材料で形成しているが、例えば、内部に中空部を有するようにポリ塩化ビニル材でクッション材５の外形を形作り、空気等の気体を上記中空部に注入して形成するようにしてもよい。
【００７５】
さらに、本発明の実施形態１、２では、リール２がスピニングリール及びベイルリールの場合について述べたが、スピンキャストリール等でも、釣人Ｈにとって最適な竿桿３の位置に固定することができる。
【産業上の利用可能性】
【００７６】
本発明は、竿桿の基端側にクッション材が取り付けられた釣竿に適している。
【符号の説明】
【００７７】
１        釣竿
２        リール
３        竿桿
４        リールシート（固定手段）
５        クッション材
８        規制部材
５ｂ        第２凹状湾曲面
２４        延出部
３１        雄ネジ部
４１        円筒部材
４１ａ        雌ネジ部
４２        リング部材
４２ｃ        リール保持部
５１        嵌合凹部
Ｈ        釣人
Ｈ１        鼠径部
【図１】
2014018088.tif 000003
【図２】
2014018088.tif 000004
【図３】
2014018088.tif 000005
【図４】
2014018088.tif 000006
【図５】
2014018088.tif 000007
【図６】
2014018088.tif 000008
【図７】
2014018088.tif 000009
【図８】
2014018088.tif 000010
【図９】
2014018088.tif 000011
【図１０】
2014018088.tif 000012
【手続補正書】
【提出日】平成24年10月9日(2012.10.9)
【手続補正１】
【補正対象書類名】明細書
【補正対象項目名】全文
【補正方法】変更
【補正の内容】
【発明の詳細な説明】
【技術分野】
【０００１】
本発明は、竿桿の基端側にクッション材が取り付けられた釣竿に関する。
【背景技術】
【０００２】
従来より、例えば、特許文献１に開示されている釣竿は、竿桿と、釣糸の送出・巻取を行うリールを上記竿桿に固定するリールシートと、上記竿桿の基端側に嵌合する嵌合孔を有するクッション材とを備え、該クッション材には、釣人の肘周辺の形状に対応する凹状面が形成されている。そして、釣人は、釣りをする際、竿桿のリールシート近傍を把持しつつ肘周辺をクッション材の凹状面に載せるようになっていて、竿桿の基端側が釣人の肘周辺に接触する際の衝撃が吸収されるとともに、釣人の肘周辺がクッション材の凹状面に沿うことで肘周辺がクッション材に対してずれ難くなり、竿桿が揺れ難くなって操作性が向上するようになっている。
【０００３】
ところで、特許文献１の竿桿の基端は上記クッション材から突出しているので、釣人が竿桿の基端を下半身に宛がって釣竿を両手で操作しようとすると、竿桿の基端から下半身に局所的に負荷がかかってしまう。
【０００４】
これに対応するために、例えば、特許文献２に開示されている釣竿では、クッション材を竿桿の基端から突出しないように当該竿桿に固定していて、釣人が釣竿の基端側を下半身に宛がった際にクッション材により下半身に局所的にかかる負荷を緩和させるようになっている。
【先行技術文献】
【特許文献】
【０００５】
【特許文献１】特開２００９−６０８４３号公報（段落００１１〜００１５欄、図１）
【特許文献２】特開平１１−１５５４２７号公報（段落００１３〜００１５欄、図２）
【発明の概要】
【発明が解決しようとする課題】
【０００６】
ところで、特許文献１，２の釣竿では、竿桿にリールを固定する位置が予め決められているため、リールの種類が変わることでクッション材の位置が釣人にとって最適な位置でなくなってしまうおそれがある。
【０００７】
また、腕の長さは釣人毎に異なるので、異なる釣人が上述の釣竿を使用する際には、同様の問題が生じる。
【０００８】
これらの問題を回避するために、クッション材を竿桿の軸方向に長くすることにより、釣人の肘周辺を確実にクッション材に接触させる構造にすることが考えられる。
【０００９】
しかし、クッション材を竿桿の軸方向に長くすると竿桿の基端側の重量が重くなってしまい、釣竿の重量バランスが悪くなって返って釣竿の操作性が悪化してしまう。
【００１０】
また、クッション材を竿桿の軸方向に移動可能にして釣人の肘周りに対応させることも考えられるが、クッション材を竿桿の先端側に移動させると特許文献１のように竿桿の基端がクッション材から突出してしまい、釣竿の基端側を下半身に宛がう際に特許文献１と同様の問題が生じてしまう。
【００１１】
本発明は、斯かる点に鑑みてなされたものであり、その目的とするところは、釣人の肘周りを載せたり下半身に宛がったりするクッション材を竿桿の基端側に備えるとともに、リールの種類や使用する釣人が変わっても、釣人の肘周辺をクッション材に確実に載せることができ、しかも操作性の良い釣竿を提供することにある。
【課題を解決するための手段】
【００１２】
上記の目的を達成するために、本発明は、リールの竿桿への固定位置を調整可能にするとともに、竿桿の基端にクッション材を先端側へ移動しないように嵌合したことを特徴とする。
【００１３】
すなわち、第１の発明では、竿桿と、該竿桿に移動可能に取り付けられ、釣糸の送出・巻取を行うリールを上記竿桿に固定する固定手段と、上記竿桿の基端に着脱可能に嵌合する嵌合凹部を有するクッション材とを備え、上記竿桿の基端寄りには、上記クッション材の嵌合凹部を上記竿桿の基端に嵌合した際、上記嵌合凹部の開口周縁に当接して上記クッション材の竿桿先端側への移動を規制する規制部材が取り付けられていることを特徴とする。
【発明の効果】
【００１４】
第１の発明では、クッション材に対するリールの固定位置を変えることでリール固定位置とクッション材との間の距離を変化させることができ、リールの種類や使用する釣人が変わっても、釣人の肘周りをクッション材に確実に載せることができる。また、リール固定位置とクッション材との間の距離を変化させるのに、竿桿に対してクッション材をスライドさせる構造ではないので、竿桿の基端側がクッション材から突出することがなく、竿桿の基端を釣人の下半身に宛がって使用しても竿桿の基端から下半身に加わる圧力を確実に分散させて釣人に局所的にかかる負荷を緩和させることができる。さらに、クッション材を竿桿の軸方向に長くする必要がないので、クッション材によって必要以上に竿桿の基端側が重くなることを防ぎ、釣竿の操作性を良くすることができる。
【００１５】
また、釣竿を両手で操作する際に竿桿の基端側を釣人の下半身に宛がっても、規制部材によりクッション材が竿桿の先端側に移動せず、竿桿の基端側がクッション材を突き破ってしまうことを防ぐことができる。
【図面の簡単な説明】
【００１６】
【図１】本発明の実施形態１に係る釣竿の把持部周辺を示す正面図である。
【図２】（ａ）は、本発明の実施形態１に係る釣竿の基端側における分解平面図であり、（ｂ）は、（ａ）のＡ−Ａ線における断面図である。
【図３】図２のＢ−Ｂ線における断面図である。
【図４】図２のＣ−Ｃ線における断面図である。
【図５】図１のＤ−Ｄ線における断面図である。
【図６】図５のＥ−Ｅ線における把持部周りの断面図である。
【図７】図１のＦ−Ｆ線における断面図である。
【図８】本発明の実施形態１に係る釣竿の使用形態を変更した状態の図１相当図である。
【図９】本発明の実施形態２の図５相当図である。
【図１０】本発明の実施形態２の図６相当図である。
【発明を実施するための形態】
【００１７】
以下、本発明の実施形態を図面に基づいて詳細に説明する。尚、以下の好ましい実施形態の説明は、本質的に例示に過ぎない。
《発明の実施形態１》
図１は、本発明の実施形態１に係る釣竿１を示す。該釣竿１は、釣糸の送出・巻取を行う各種リール２を固定して使用するものであり、炭素繊維強化プラスチックで形成された竿桿３と、該竿桿３に上記リール２を固定するリールシート４（固定手段）と、上記竿桿３の基端に着脱可能に嵌合する嵌合凹部５１を有するクッション材５とを備えている。
【００１８】
尚、図１に示すリール２は、所謂スピニングリールと呼ばれるものであり、釣糸が巻かれるリール本体２１と、該リール本体２１に回動可能に軸支されたハンドル２２と、上記リール本体２１の上部から緩やかに湾曲しながら上方に向かって延びる軸部２３と、該軸部２３の上端から竿桿軸方向両側に延出する一対の延出部２４とを備えている。
【００１９】
上記竿桿３は、細長い筒状の竿桿本体３ａと、該竿桿本体３ａの軸方向中央部分の基端側に外嵌合された短筒部材３ｂとを備えている。
【００２０】
該短筒部材３ｂの外周面には、雄ネジ部３１が所定の長さで螺刻され、該雄ネジ部３１上部には、図５乃至図７にも示すように、凹部３１ａが各ネジ山に形成されている。
【００２１】
上記リールシート４は、上記雄ネジ部３１に螺合する雌ネジ部４１ａが内周面に螺刻された一対の樹脂製円筒部材４１を備え、該両円筒部材４１は、回転動作により竿桿軸方向に螺進・螺退するようになっている。
【００２２】
上記両円筒部材４１は、竿桿軸方向に所定の間隔を開けて配置され、竿桿３の基端側に位置する円筒部材４１は、竿桿３の先端側に位置する円筒部材４１より竿桿軸方向に長く延び、釣竿１の使用時において釣人Ｈが把持するグリップを構成するようになっている。
【００２３】
また、上記両円筒部材４１の互いに対向する側の外周面には、それぞれ開口端縁に沿って延びる環状凹部４１ｂが形成されている。
【００２４】
上記竿桿３の両円筒部材４１間には、一対の樹脂製リング部材４２が外挿され、該各リング部材４２は、上記各円筒部材４１のそれぞれに対応している。
【００２５】
上記リング部材４２の上部内周面には、竿桿軸方向に延びる凸部４２ａが突設され、該凸部４２ａは、上記各凹部３１ａに竿桿軸方向にスライド可能に嵌合している。
【００２６】
また、上記リング部材４２における円筒部材４１側内周面には、上記環状凹部４１ｂに嵌合する環状突条部４２ｂが突設され、上記円筒部材４１を回転させると上記環状凹部４１ｂが上記環状突条部４２ｂに沿って摺動するようになっている。
【００２７】
そして、上記リング部材４２は、上記円筒部材４１を回転させて竿桿軸方向に螺進・螺退させると、上記凸部４２ａが上記各凹部３１ａに沿って案内されて竿桿３に対して回転せずに竿桿軸方向にスライド移動するようになっている。
【００２８】
すなわち、上記リング部材４２は、上記円筒部材４１の螺進退動作に追随して竿桿軸方向に移動するようになっている。
【００２９】
さらに、上記両リング部材４２下部の互いに対向する側には、上記竿桿３の外周面との間に所定の隙間が形成されるように外側方に膨出するリール保持部４２ｃが形成され、該リール保持部４２ｃは、上記リング部材４２の開口端縁に近づくにつれて竿桿３の外周面から次第に離れるように傾斜している。
【００３０】
そして、上記リール２は、上記両延出部２４を上記竿桿３外周面の両リング部材４２間に下方から宛がった状態で、上記両円筒部材４１の回転操作による螺進動作で上記両リング部材４２を互いに接近移動させて上記両延出部２４の先端側を上記両リール保持部４２ｃの内面と上記竿桿３の外周面とで保持して上記竿桿３に固定するようになっている。
【００３１】
また、上記竿桿３にリール２を固定した状態で、上記竿桿３の両リング部材４２間に略Ｃ字状の樹脂製カバー４３を上方から外嵌合させるようになっていて、釣人Ｈが釣竿１を把持した際に、竿桿３の雄ネジ部３１が掌に接触しなくなり、釣竿１の触り心地が改善されるようになっている。
【００３２】
上記クッション材５は、図１乃至図４に示すように、略直方体形状をなしていて、ＥＶＡ（エチレン酢酸ビニル共重合体）で形成され、その硬度は５０〜９０度となっている。
【００３３】
上記嵌合凹部５１は、上記クッション材５の１つの側面の略中央に開口していて、その断面形状は正方形状をなしている。
【００３４】
また、上記クッション材５の上面は、上記竿桿３の軸方向から見て中央部分が下方に窪むように緩やかに湾曲する第１凹状湾曲面５ａが形成され、該第１凹状湾曲面５ａは、釣人Ｈの肘周りに対応する形状をなし、上記竿桿３の竿先側に行くにつれて緩やかに下傾している（図３参照）。
【００３５】
さらに、上記クッション材５における嵌合凹部５１の反開口側には、平面視で中央部分が上記竿桿３の先端側に窪むように緩やかに湾曲する第２凹状湾曲面５ｂが形成され、該第２凹状湾曲面５ｂは、釣人Ｈの鼠径部Ｈ１（図２（ａ）参照）に対応する形状をなしている。
【００３６】
上記竿桿３の基端寄りには、上記竿桿３の外周面から当該竿桿３の径方向外側に張り出す張出部材６が設けられ、該張出部材６は、その外周面が上記竿桿３の先端側に行くにつれて次第に縮径するテーパ状をなしている。
【００３７】
また、上記竿桿３の上記張出部材６より基端側は、図２（ｂ）に示すように、円筒部分の外周面に断面略三角形状の細棒部材９を周方向に等間隔に４つ貼り付けることにより横断面形状が正方形状となっていて、上記嵌合凹部５１の横断面形状に対応している。
【００３８】
尚、上記竿桿３基端側の断面形状は、該竿桿３を各リング部材４２のリール保持部４２ｃが下側に向くような姿勢にした状態で上下左右に対称な形状になっている。
【００３９】
さらに、上記張出部材６の基端側には、上記竿桿３が挿通する挿通孔７ａを略中央に有する樹脂製板部材７が設けられ、該板部材７は、上記張出部材６とで規制部材８を構成している。
【００４０】
そして、上記竿桿３の基端側を上記板部材７の挿通孔７ａに挿通させ、且つ、上記竿桿３の基端側に上記クッション材５の嵌合凹部５１を嵌合させて竿桿３に板部材７及びクッション材５を組み付けるようになっていて、上記クッション材５の嵌合凹部５１を上記竿桿３の基端に嵌合した際、上記嵌合凹部５１の開口周縁に上記規制部材８が当接して上記クッション材の竿桿３の先端側への移動を規制するようになっている。
【００４１】
次に、釣竿１の組み立てについて説明する。尚、竿桿３に固定するリール２の種類は、スピニングリールである（図１参照）。
【００４２】
まず、釣人Ｈは、リール２及びクッション材５が取り付けられていない竿桿３を用意する。そして、各円筒部材４１を回転操作し、各リング部材４２を互いに離間するように移動させる。
【００４３】
次いで、上記竿桿３を各リング部材４２のリール保持部４２ｃが下向きになるような姿勢にし、竿桿３の基端を板部材７の挿通孔７ａに挿通させるとともに、竿桿３の基端に第１凹状湾曲面５ａを上向きにしたクッション材５の嵌合凹部５１を嵌合させる。すると、規制部材８が嵌合凹部５１の開口周縁に当接してクッション材５の竿桿３の先端側への移動を規制する。したがって、釣竿１を両手で操作する際に竿桿３の基端側を釣人Ｈの下半身に宛がっても、規制部材８によりクッション材５が竿桿３の先端側に移動せず、竿桿３の基端側がクッション材５を突き破ってしまうことを防ぐことができる。
【００４４】
また、釣竿１を両手で操作する際にクッション材５を釣人Ｈの下半身の中の鼠径部Ｈ１に宛がうと、クッション材５の第２凹状湾曲面５ｂが鼠径部Ｈ１に沿うので、当該鼠径部Ｈ１に対してクッション材５がずれ難くなる。したがって、釣竿１の操作性をさらに高めることができる。
【００４５】
しかる後、釣人Ｈの肘周辺をクッション材５の第１凹状湾曲面５ａに載置した際に、その釣人Ｈが最もリール２を扱い易くなる竿桿３の位置に下方からリール２の両延出部２４を宛がう。
【００４６】
そして、上記両円筒部材４１を回転させることにより各リング部材４２を互いに接近移動させ、上記両延出部２４の先端側を上記両リール保持部４２ｃの内面と上記竿桿３の外周面とで保持して、リール２を竿桿３に固定する。
【００４７】
最後に、竿桿３の両リング部材４２間に樹脂製カバー４３を嵌め込み、釣竿１の組み立てが終了する。
【００４８】
次に、リール２の種類が所謂ベイトリールと呼ばれるものである場合の釣竿１の組み立てについて説明する。尚、ベイトリールは、図８に示すように、スピニングリールのように軸部２３がなく、リール本体２１の外周縁に直接一対の延出部２４が設けられている。
【００４９】
まず、釣人Ｈは、上述したスピニングリールの時と同様に、用意した竿桿３の各円筒部材４１を回転操作し、各リング部材４２を離間させる。
【００５０】
次いで、上記竿桿３を各リング部材４２のリール保持部４２ｃが上向きになる姿勢にし、竿桿３の基端を板部材７の挿通孔７ａに挿通させるとともに、竿桿３の基端に第１凹状湾曲面５ａを上向きにしたクッション材５の嵌合凹部５１を嵌合させる。すると、規制部材８が嵌合凹部５１の開口周縁に当接してクッション材５の竿桿３の先端側への移動を規制する。
【００５１】
尚、竿桿３はリール保持部４２ｃが下向きの姿勢において、基端側横断面が正方形状で、且つ、上下左右に対称な形状であるので、竿桿３をリール保持部４２ｃが下向きの姿勢から上向きの姿勢にしても、クッション材５の嵌合凹部５１を第１凹状湾曲面５ａが上向きの姿勢で竿桿３の基端側に嵌合させることができる。
【００５２】
しかる後、釣人Ｈの肘周辺をクッション材５の第１凹状湾曲面５ａに載置した際に、その釣人Ｈが最もリール２を扱い易くなる竿桿３の位置に上方からリール２の両延出部２４を宛がう。
【００５３】
尚、図８に示すように、ベイトリールは、スピニングリールより竿桿軸方向の先端側で固定する。
【００５４】
そして、上記両円筒部材４１を回転させることにより各リング部材４２を互いに接近移動させ、上記両延出部２４の先端側を上記両リール保持部４２ｃの内面と上記竿桿３の外周面とで保持して、リール２を竿桿３に固定する。
【００５５】
以上より、本発明の実施形態１によると、クッション材５に対するリール２の固定位置を変えることでリール２の固定位置とクッション材５との間の距離を変化させることができ、リール２の種類や使用する人が変わっても、釣人Ｈの肘周りをクッション材５に確実に載せることができる。
【００５６】
また、リール２の固定位置とクッション材５との間の距離を変化させるのに、竿桿３に対してクッション材５をスライドさせる構造ではないので、竿桿３の基端側がクッション材５から突出することがなく、竿桿３の基端を釣人Ｈの下半身に宛がって竿桿３の基端から下半身に加わる圧力を確実に分散させて釣人Ｈに局所的にかかる負荷を緩和させることができる。
【００５７】
また、クッション材５を竿桿３の軸方向に長くする必要がないので、クッション材５によって必要以上に竿桿３の基端側が重くなることを防ぎ、釣竿１の操作性を良くすることができる。
【００５８】
また、両円筒部材４１の螺進退動作により、リール２を竿桿３に固定する両リング部材４２の位置を細かく調整できるので、竿桿３の軸方向の固定位置を細かく設定できる。
【００５９】
また、両円筒部材４１と竿桿３とは螺合により組み立てられているので、不意に両リング部材４２に竿桿軸方向の力が加わっても両リング部材４２は互いに離間し難く、両リング部材４２が離間してリール２が外れてしまうといったことを防ぐことができる。
【００６０】
また、竿桿３の基端側横断面の形状が正方形状をなしているので、クッション材５が竿桿３に対して竿桿軸周りに回転しなくなるので、釣人Ｈが釣りをする際に、肘周りを載せたクッション材５が竿桿３に対して不意に回転して竿桿３が揺れてしまうということがなく、釣竿１の操作性を高めることができる。
《発明の実施形態２》
図９及び図１０は、本発明の実施形態２に係る釣竿１を示す。この実施形態２では、竿桿３の一部構造が異なり、且つ、樹脂製カバー４３が取り付けられていないだけで、その他は実施形態１と同じであるため、以下、実施形態１と異なる部分のみを説明する。
【００６１】
実施形態２の短筒部材３ｂにおける雄ネジ部３１のネジ山は、各リール保持部４２ｃが下向きの姿勢で上側略１／３の部分に形成されていない。そして、上記リング部材４２の上部内周面が上記短筒部材３ｂの上部外周面に対応するように接近しており、上記リング部材４２の板厚は、竿桿３の軸方向から見て左右両側より上側の方が厚くなっていて、竿桿３に対して竿桿３の軸心周りにリング部材４２が回転しないようになっている。
【００６２】
以上より、本発明の実施形態２によると、釣人Ｈが竿桿３を把持した際に、掌に接触する雄ネジ部３１の面積を実施形態１より狭くすることができ、釣竿１の触り心地をさらに良くすることができる。
【００６３】
尚、本発明の実施形態１、２では、規制部材８を張出部材６と板部材７とで構成しているが、張出部材６のみで構成してもよい。
【００６４】
また、竿桿３の基端側の断面形状を正方形状にし、クッション材５の嵌合凹部５１の形状を対応させているが、これに限らず、竿桿３の基端側の断面形状を三角形状や、その他の多角形状にしてもよいし、楕円形状にしてもよく、真円以外の形状であればよい。
【００６５】
また、本発明の実施形態１、２では、竿桿３を炭素繊維強化プラスチックで形成しているが、これに限らず、例えば、ガラス繊維強化プラスチックや竹等で形成してもよい。
【００６６】
また、本発明の実施形態１、２では、クッション材５をＥＶＡで形成しているが、これに限らず、例えば、ポリスチレン等の発泡材であってもよいし、その他、釣人Ｈに対してクッションになるのであれば材質は問わない。
【００６７】
また、本発明の実施形態１、２では、クッション材５を１つの材料で形成しているが、例えば、内部に中空部を有するようにポリ塩化ビニル材でクッション材５の外形を形作り、空気等の気体を上記中空部に注入して形成するようにしてもよい。
【００６８】
さらに、本発明の実施形態１、２では、リール２がスピニングリール及びベイルリールの場合について述べたが、スピンキャストリール等でも、釣人Ｈにとって最適な竿桿３の位置に固定することができる。
【産業上の利用可能性】
【００６９】
本発明は、竿桿の基端側にクッション材が取り付けられた釣竿に適している。
【符号の説明】
【００７０】
１        釣竿
２        リール
３        竿桿
４        リールシート（固定手段）
５        クッション材
８        規制部材
５ｂ        第２凹状湾曲面
２４        延出部
３１        雄ネジ部
４１        円筒部材
４１ａ        雌ネジ部
４２        リング部材
４２ｃ        リール保持部
５１        嵌合凹部
Ｈ        釣人
Ｈ１        鼠径部
【手続補正２】
【補正対象書類名】特許請求の範囲
【補正対象項目名】全文
【補正方法】変更
【補正の内容】
【特許請求の範囲】
【請求項１】
竿桿と、
該竿桿に移動可能に取り付けられ、釣糸の送出・巻取を行うリールを上記竿桿に固定する固定手段と、
上記竿桿の基端に着脱可能に嵌合する嵌合凹部を有するクッション材とを備え、
上記竿桿の基端寄りには、上記クッション材の嵌合凹部を上記竿桿の基端に嵌合した際、上記嵌合凹部の開口周縁に当接して上記クッション材の竿桿先端側への移動を規制する規制部材が取り付けられていることを特徴とする釣竿。